(57)【要約】      （修正有）【課題】座椅子として使用できるとともに、必要な時は背や腰の牽引装置としても使用できる分離式座椅子型牽引装置を提供する。【解決手段】座椅子部と牽引装置部は分離形式であり、連結用台座１０に牽引用台車６が組込まれた牽引装置部に、座椅子座部２に有る連結用穴５と連結用台座１０に有る連結用差込棒１５により座椅子座部２が固定され、座椅子背部１はリクライニング式１４で水平に角度調整出来、座椅子座部２は連結用台座１０に固定され動かず、腰バンド7を有した牽引用台車６が連結用台座１０に組込まれたガイドレール１１上を電動にて身長方向に移動、牽引する為の分離式座椅子型牽引装置が完成する、牽引装置として使用しないときは座椅子部と牽引装置部を分離し、座椅子部を座椅子として普段の生活に使用する。【選択図】図１
0003153235.tif 000002
【実用新案登録請求の範囲】
【請求項１】
座椅子部と牽引装置部が分離形式である座椅子型牽引装置であって、座椅子部と牽引装置部は座椅子部の連結用穴と牽引装置部の連結用棒で連結可能であり、座椅子部は座椅子部背部がリクライニング式で角度調整可能であり、牽引装置部は、連結用台座と連結用台座に載架された牽引用台車からなり、牽引用台車には腰の固定バンドを有し、牽引用台車は連結用台座に設けられた固定ネジ棒上をモーターにより往復走行することを特徴とする、分離式座椅子型牽引装置。
【請求項２】
牽引用台車内部にモーター、駆動ギァー、従動ギァー、スライドネジ金具、スライド受け、車輪が組み込まれており、連結用台座には固定ネジ棒とスプリングの両端が軸受けで固定されており、モーターの回転力に依りスライドネジ金具が、固定ネジ棒を回転しながら往復することで、スライド受けがスライドネジ金具の回転力を直進力に変えることで牽引用台車を移動させる、ことを特徴とする請求項１記載の分離式座椅子型牽引装置。
【請求項３】
牽引用台車の動力源は電気モーターであり、牽引用台車が前進、後退、停止の３つの動作機能を有し、制御は、前進、後退、停止、の作動用スイッチにより制御されることを特徴とする請求項１または請求項２記載の分離式座椅子型牽引装置。
【考案の詳細な説明】
【技術分野】
【０００１】
本考案は一般家庭において使用者が、背、腰部を牽引したいとき、座椅子部と牽引装置部を連結、固定し座椅子背部を水平に倒して牽引装置部を電動にて身長方向に水平移動させ、背、腰部を牽引でき、座椅子部はリクライニング式、肘掛付、座椅子として普段使用できる。分離式座椅子型牽引装置に関するものである。
【背景技術】
【０００２】
腰の疲れ、腰痛で病院に牽引治療に行くには、仕事、時間、お金、交通手段、等の、制約があり、安易に行くことができず、家庭で牽引したくても、従来のものは、高価、大型で家庭に設置することが困難である。そのため、腰の疲れ、腰痛を我慢しているのが現状である、一般家庭にも有る、座椅子に、小型、軽量、安価な分離型の、牽引装置を取り付け、背、腰の牽引が出来れば、仕事、時間、お金、交通手段、等の問題が解決できる。
【０００３】
先行技術として医療機関等に大型のベッド式牽引装置が在るが、一般家庭では設置する場所も無く、また、高価で入手が困難である。これらの問題を解決する為の手段としては、特許文献１と特許文献３に見られる家庭用の腰部牽引装置や、特許文献２に見られるスーツケース型があった。
【先行技術文献】
【特許文献】
【０００４】
【特許文献１】特開２００６−１９８１３８号
【特許文献２】公開２００７−２０２８７７号
【特許文献３】公開  平８−２６６５６７号
【考案の概要】
【０００５】
本考案は一般家庭において使用者が、背、腰部を牽引したいとき、分離式座椅子型牽引装置の座椅子部と牽引装置部を連結用台座で、連結、固定し、座椅子背部を倒し水平にして、仰向けに寝て肘掛を脇の下で挟み、上半身を固定させ、腰部を牽引装置のバンドで固定し、牽引用台車を電動にて身長方向に水平移動させ、背、腰部を牽引する、小型、軽量で、提供でき、一般の人でも入手し易く、座椅子部はリクライニング式、肘掛付、座椅子として普段使用できる、分離式座椅子型牽引装置である。
【考案が解決しようとする課題】
【０００６】
腰の疲れ、腰痛で病院に牽引治療に行くには、仕事、時間、お金、交通手段、等の制約があり、安易に行くことができず、家庭で牽引したくても、従来のものは、高価、大型で家庭に設置するのは困難である。そのため、腰の疲れ、腰痛を我慢しているのが現状である。
【０００７】
そこで、一般家庭にも有る、座椅子に、小型、軽量、安価な分離型の
牽引装置を取り付け、背、腰の牽引が出来れば、仕事、時間、お金、
交通手段、等の全ての問題点を解消できる。本考案はこのような分離式座椅子型牽引装置を提供することである。
【課題を解決するための手段】
【０００８】
一般家庭で使用する、座椅子と牽引装置を組み合わせて前項の課題を解決しょうとするものであり、手段として図１をもって説明すると、座椅子部と牽引装置部は分離形式であり、連結用台座１０に牽引用台車６が組込まれた牽引装置部に、座椅子座部２に有る連結用穴５と連結用台座１０に有る連結用差込棒１５により座椅子座部２が固定され、座椅子背部１はリクライニング式１４で水平に角度調整出来、座椅子座部２は連結用台座１０に固定され動かず、腰バンド7を有した牽引用台車６が連結用台座１０に組込まれたガイドレール１１上を電動にて身長方向に移動、牽引する為の分離式座椅子型牽引装置が完成する、牽引装置として使用しないときは座椅子部と牽引装置部を分離し、座椅子部を座椅子として普段の生活に使用する。
【０００９】
牽引装置部の内部を図３，４で説明すると、移動機構として牽引用台車６内部にモーター１６、駆動ギァー１７、従動ギァー２１、スライドネジ金具２３、スライド受け１８、車輪２６、を組み込み、連結用台座１０に軸受け１９で両端をスライド式固定とした固定ネジ棒２２と、スライドネジ金具２３を組合せ、モーター１６の回転力に依りスライドネジ金具２３が、固定ネジ棒２２上を回転しながら往復することで、スライド受け１８がスライドネジ金具２３の回転力を直進力に変えることで牽引用台車６を移動させる、連結用台座１０の座椅子座部２側にスプリング２４内蔵のボックス２０と反対側に軸受け１９で固定ネジ棒２２をスライド式固定とし、スプリング２４と組み合わせ固定ネジ棒２２に可動範囲を設けることで牽引始めの衝撃を緩和し、牽引位置で止めてもスプリング２４の反発力で常に牽引張力を保つ、動力源は電気１２を用い、制御は、前進、後退、停止、の作動用スイッチ１３で行う。
【考案の効果】
【００１０】
本考案は一般家庭で使用する座椅子を利用する為、普段の生活に座椅子として使用し、邪魔にならず、利便性が高い。座椅子と牽引装置を連結、固定して使用し、腰痛予防、腰の牽引を家庭で簡単に行える為、牽引のために病院に行く回数が減ることで、交通手段、時間、お金、等の問題が解決出来て、小型、軽量、簡素な分離式座椅子型牽引装置を提供できる。
【図面の簡単な説明】
【００１１】
【図１】座椅子型牽引装置が、座椅子部と牽引装置部に分離した状態。
【図２】連結用台座に座椅子部、が固定され、分離式座椅子型牽引装置が完成した状態。
【図３】牽引装置部内部のA―A断面図。
【図４】牽引装置部内部のB―B断面図。
【考案を実施するための形態】
【００１２】
本考案を実施する手段として、別紙の図面の番号をもつて説明する、
座椅子背部１は普段は座椅子１，２としてそのまま使用し、牽引するときは、リクライニング式１４で倒し牽引装置の一部として使用する。
座椅子座部２はリクライニング式１４、肘掛付３き、普段は座椅子として、そのまま使用し、牽引するときは、連結用台座１０と連結、固定して、リクライニング機構１４で座椅子背部１を倒し牽引装置の一部として使用する。
肘掛３は座椅子に座ったときに肘を乗せ、座椅子座部２に固定式で、牽引する時は肘掛３を脇の下で水平に抱き込むようにして、腰を牽引しても上半身が動かないようにする。
座椅子背部受け４は連結用台座１０が座椅子座部２までしか無く、座椅子背部１より座椅子座部２のほうが、連結用台座１０の分だけ高くなり座椅子背部をリクライニング式１４で倒したときに、水平に保つ為の受け台。
連結用穴５は座椅子座部2の下面に固定され、連結用差込棒１５を受け入れ、座椅子部１、2と連結用台座１０を連結、固定する為の穴。
牽引用台車６は連結用台座１０の上に組み込み、使用者が仰向けに寝た状態で、腰の固定用バンド7で固定し、牽引用台車６に取付けた車輪
２６が、ガイドレール１１上を電動で、使用者の操作により、水平移動(前進、後退、停止)する。
腰の固定用バンド７は牽引用台車６に両端を固定され前開とし、腰に巻きバンド留め金具９で固定し、牽引するときに腰が動かないようにする。
補助バンド８は牽引用台車6に一方を固定し一方を腰の固定用バンド7に固定され、固定用バンド7を牽引補助する。
バンド金具９は腰の固定用バンド7で腰を締めるときに、固定用バンド７を留め金具等で固定する。
連結用台座１０はガイドレールを有し、牽引用台車6を上に乗せ組み込み、座椅子座部2と連結、固定し、座椅子型牽引装置が完成する、為の連結用台座。
ガイドレール１１は連結用台座１０の上面に複数本取り付け固定し、牽引用台車６を車輪２６により水平移動、往復、案内し、浮き上がりを防止する。
電源差込プラグ１２は動力源として、家庭用１００Vコンセントから電気を受ける。
作動用スイッチ１３は前進、後退、停止  の三点押釦で、モーター１６を稼動させる。
リクライニング機構１４は座椅子背部の角度を自由に調整する。
連結用差込棒１５は連結用台座１０に固定され、連結用穴５に差込み、座椅子座部２と連結用台座１０を連結、固定する為の差込棒。
モーター１６は牽引用台車６に取り付け固定し、作動用スイッチ１３で稼動させる、過トルク制御型とする。
駆動ギァー１７はモーター１６に連結され従動ギャー２１に噛み合せ、
モーター１６の回転を従動ギャー２１に伝える。
スライド受け１８は牽引用台車６に取り付け、固定し、従動ギャー２１の回転力を直線力に変えて牽引用台車６を水平移動させる。
軸受け１９は連結用台座１０に取り付け、固定ネジ棒２２の可動範囲を設け、スライド式に固定する。
スプリングボックス２０はスプリング２４を内蔵し固定ネジ棒２２をスライド式に固定する。
従動ギャー２１はスライドネジ金具２３に取付け固定し、駆動ギァー７
に噛み合せ駆動ギァー１７の回転をスライドネジ金具２３に伝える。
固定ネジ棒２２は軸受１９とスプリングボックス２０で両端をスライド式に固定され、スライドネジ金具２３と組合せ、駆動ギァー１７によりスライドネジ金具２３だけが、固定ネジ棒２２上を往復する、またスプリング２４と組み合わせ固定ネジ棒に可動範囲を設けることで衝撃を緩和する。
スライドネジ金具２３は固定ネジ棒２２と組合せ、駆動ギァー１７により、回転することで固定ネジ棒２２上を往復し、スライド受け１８と組合せることで、スライド受け１８に直線力を与える。
スプリング２４は連結用台座１０の座椅子部側にスプリング内蔵のボックス２０と反対側の軸受け１９で固定ネジ棒２２をスライド式固定とし、スプリング２４と組み合わせ固定ネジ棒２２に可動範囲を設けることで牽引始めの衝撃を緩和し、牽引位置で止めてもスプリング２４の反発力で常に牽引張力を保つ。
車輪取付け用シャフト２５は牽引用台車６の下部に固定し、シャフトの先端に車輪２６を取付け固定する。
車輪２６は車輪取付け用シャフト２５の先端に取付け、牽引用台車６の移動のためにガイドレール１１に案内され移動する。
【実施例】
【００１３】
本考案の実施例について説明する、本考案は一般家庭において使用者が、背、腰部を牽引したいとき、分離式座椅子型牽引装置の、座椅子部と牽引装置部を連結用台座で、連結、固定し、座椅子背部をリクライニングで倒し水平にして分離式座椅子型牽引装置を完成さる。
次に仰向けに寝て腰部を牽引装置のバンドで固定し、肘掛を脇の下で挟み、上半身を固定させ、牽引用台車を電動にて稼動させ牽引する。
牽引速度は設計上１秒間に５〜１５ｍｍ程度に設定し、牽引力は１〜
１５Ｋｇ程度で過度に牽引しないように過トルク型モーターで制御する。
牽引始めの衝撃は固定ネジ棒と衝撃緩和用スプリングを組み合わせることで緩和し、牽引時間は使用者が自由に調整可能である。
牽引が終了したら、牽引装置部を分離、収納して、座椅子部を一般の座椅子として使用できる。
【産業上の利用可能性】
【００１４】
本考案は一般家庭で、腰痛予防、腰の牽引を家庭で簡単に行える為、
牽引のために病院に行く回数が減ることで、交通手段、時間、お金、等の問題が解決出来、仕事に専念出来て、産業上大きな貢献がある。
【符号の説明】
【００１５】
１    座椅子背部
２    座椅子座部
３    肘掛
４    座椅子背部受け
５    連結用穴
６    牽引用台車
７    腰の固定用バンド  
８    補助バンド
９    バンド金具
１０    連結用台座
１１    ガイドレール
１２    電源差込プラグ
１３    作動用スイッチ
１４    リクライニング機構
１５    連結用差込棒
１６    モーター
１７    駆動ギァー
１８    スライド受け
１９    軸受け
２０    スプリングボックス
２１    従動ギャー
２２    固定ネジ棒
２３    スライドネジ金具
２４    スプリング    
２５    車輪取付け用シャフト
２６    車輪
【図１】
0003153235.tif 000003
【図２】
0003153235.tif 000004
【図３】
0003153235.tif 000005
【図４】
0003153235.tif 000006